(57)【要約】【課題】受皿がスムーズに動いても支障なく、容易にドアをセットすることができる加熱調理器を提供すること。【解決手段】レールの可動部を相互に連結し手前側に調理庫の開口面に略平行の第１の接触面が形成された連結部材と、調理庫の開口部を開閉するドア部と、裏面カバーには第２の接触面を有し、第２の接触面には下方に開口する係合部を有し、第２の接触面を第１の接触面に沿うようにしてドア部を上方から下方に移動させ係合部と連結部材に設けられた係合部とでドア部と連結部材を係合させてなる構成をすることにより、容易にドアの着脱をすることとなる。【選択図】図１
2006329545.tif 000002
【特許請求の範囲】
【請求項１】
本体と、前記本体前面に開口部を有し内部の被加熱物を加熱する調理庫と、摺動部を有する可動体、及び前記摺動部と対向して摺動する被摺動部を有しかつ前記本体内に固定され前記可動体を前記本体に保持する固定体を有する少なくとも２組のレールと、前記レールの可動部を相互に連結し手前側に前記調理庫の開口面に略平行の第１の接触面が形成された連結部材と、前記調理庫の開口部を開閉するドア部と、前記可動体と連動し受け皿を保持する受け皿保持体とを備え、前記ドア部は調理庫側を覆う裏面カバーを有し、前記裏面カバーには第２の接触面を有し、前記第２の接触面には下方に開口する係合部を有し、前記第２の接触面を前記第１の接触面に沿うようにしてドア部を上方から下方に移動させ前記係合部と前記連結部材に設けられた係合部とで前記ドア部と前記連結部材を係合させてなる加熱調理器。
【請求項２】
前記第２の接触面にある下方に開口する係合部は、第２の接触面より調理庫側に位置する請求項１に記載の加熱調理器。
【請求項３】
前記第２の接触面にある下方に開口する係合部を複数個備えた請求項１または２に記載の加熱調理器。
【請求項４】
前記第２の接触面にある下方に開口する第１の係合部と、前記第１の係合部の下方であって、下方に開口する第２の係合部を有する請求項１〜３のいずれか１項に記載の加熱調理器。
【請求項５】
前記第２の接触面より調理庫側に下方に開口する第１の係合部と、前記第１の係合部の下方であって前記第２の接触面の手前側に下方に開口する第２の係合部とを有する請求項１〜４のいずれか１項に記載の加熱調理器。
【請求項６】
裏面カバーに弾性体により付勢された係止部を設けて抜け止め機能を持たせた請求項１〜５のいずれか１項に記載の加熱調理器。
【請求項７】
裏面カバーの表面に、調理庫の開口部の下辺以外の周囲に対向する位置に弾性体よりなるパッキンを有し、調理庫周囲の本体に前記下辺に沿った弾性体よりなるパッキンを設け調理庫から煙が漏れるのを抑制した請求項１〜６のいずれか１項に記載の加熱調理器。
【発明の詳細な説明】
【技術分野】
【０００１】
本発明は、一般家庭などの台所で使用する誘導加熱調理器や電子レンジ、あるいは肉、魚などの調理物を専用で焼くロースター機能を備えた加熱調理器に関するものである。
【背景技術】
【０００２】
従来、この種の加熱調理器は、受け皿をスムーズに出し引きできるレールと、調理庫内にある受皿と連結したドアを備え、受皿とドアを着脱する際、ドアの取り外し時はフックを外しドアを回動させ、ドアの取り付け時は回動させながらフックに引っ掛ける構成となっている（例えば、特許文献１参照）。
【特許文献１】特開２００４−２１８９０１号公報
【発明の開示】
【発明が解決しようとする課題】
【０００３】
しかしながら、前記従来の構成では、ドアを回動させてフックに引っ掛けようとすると、レールが引き込んで取り付けられない、引き込みを手で抑えようとしても使用後はレールも熱く触れないという課題を有していた。
【０００４】
本発明は、前記従来の課題を解決するもので、ドアの着脱を容易にし使い勝手の良い調理器を提供することを目的とする。
【課題を解決するための手段】
【０００５】
前記従来の課題を解決するために、本発明の加熱調理器は、本体と、本体前面に開口部を有し内部の被加熱物を加熱する調理庫と、摺動部を有する可動体、及び摺動部と対向して摺動する被摺動部を有しかつ本体内に固定され可動体を本体に保持する固定体を有する少なくとも２組のレールと、レールの可動部を相互に連結し手前側に調理庫の開口面に略平行の第１の接触面が形成された連結部材と、調理庫の開口部を開閉するドア部と、可動体と連動し受け皿を保持する受け皿保持体とを備え、ドア部は調理庫側を覆う裏面カバーを有し、裏面カバーには第２の接触面を有し、第２の接触面には下方に開口する係合部を有し、第２の接触面を前記第１の接触面に沿うようにしてドア部を上方から下方に移動させ係合部と連結部材に設けられた係合部とでドア部と連結部材を係合させてなる構成としたものである。
【０００６】
これによって、ドアの着脱を容易にし使い勝手の良い調理器を提供できる。
【発明の効果】
【０００７】
本発明の加熱調理器は、受け皿をスムーズに出し引きできる構成において、ドアの着脱を容易にし使い勝手を向上することができる。
【発明を実施するための最良の形態】
【０００８】
第１の発明は、本体と、前記本体前面に開口部を有し内部の被加熱物を加熱する調理庫と、摺動部を有する可動体、及び前記摺動部と対向して摺動する被摺動部を有しかつ前記本体内に固定され前記可動体を前記本体に保持する固定体を有する少なくとも２組のレールと、前記レールの可動部を相互に連結し手前側に前記調理庫の開口面に略平行の第１の接触面が形成された連結部材と、前記調理庫の開口部を開閉するドア部と、前記可動体と連動し受け皿を保持する受け皿保持体とを備え、前記ドア部は調理庫側を覆う裏面カバーを有し、前記裏面カバーには第２の接触面を有し、前記第２の接触面には下方に開口する係合部を有し、前記第２の接触面を前記第１の接触面に沿うようにしてドア部を上方から下方に移動させ前記係合部と前記連結部材に設けられた係合部とで前記ドア部と前記連結部材を係合させてなる構成とすることにより、容易にドアを着脱することができる。
【０００９】
第２の発明は、特に、第１の発明の第２の接触面にある下方に開口する係合部は、第２の接触面より調理庫側に位置することにより、ドアを上方から下方へ移動させるときに係合部が真上から確認でき、容易にドアを着脱することができる。
【００１０】
第３の発明は、特に、第１または第２の発明で、第２の接触面にある下方に開口する係合部を複数個備えた構成とすることにより、ドアの取り付け後のガタツキを抑えることができる。
【００１１】
第４の発明は、特に、第１〜３のいずれか１つの発明で、第２の接触面にある下方に開口する第１の係合部と、第１の係合部の下方であって、下方に開口する第２の係合部を有する構成とすることにより、ドアの取り付け後の特に上下に対してガタツキを抑えることができる。
【００１２】
第５の発明は、特に、第１〜４のいずれか１つの発明で、第２の接触面より調理庫側に下方に開口する第１の係合部と、前記第１の係合部の下方であって前記第２の接触面の手前側に下方に開口する第２の係合部を有する構成とすることにより、ドアの取り付け後のガタツキを抑えることができる。
【００１３】
第６の発明は、特に、第１〜５のいずれか１つの発明で、裏面カバーに弾性体により付勢された係止部を設けて抜け止め機能を持たせた構成とすることで、ドアの出し引き時に容易に外れることなく使用できる。
【００１４】
第７の発明は、特に、第１〜６のいずれか１つの発明で、裏面カバーの表面に、調理庫の開口部の下辺以外の周囲に対向する位置に弾性体よりなるパッキンを有し、調理庫周囲の本体に下辺に沿った弾性体よりなるパッキンを設けた構成とすることで、調理庫から煙が漏れるのを抑制することができる。
【００１５】
以下、本発明の実施の形態について、図面を参照しながら説明する。なお、この実施の形態によって本発明が限定されるものではない。
【００１６】
（実施の形態１）
図１は本発明の実施の形態におけるロースター部の斜視図、図２は本発明の実施の形態におけるロースター部の斜視図、図３は本発明の実施の形態におけるロースター部の部分断面図、図４は本発明の実施の形態におけるロースターの部分断面図、図５は本発明の実施の形態におけるロースター部の斜視図である。
【００１７】
調理庫１１内部には魚を加熱調理するヒータを内蔵し、受皿１９は受皿保持体１６により調理庫１１内に出し入れ自在に設置されている。調理庫１１外側の下部両側にはボールベアリングで滑動するレールが設けられ、固定体１３は調理庫１１の外側で固定され、固定体１３に沿って可動体１２は摺動する。連結部材１４は２組のレールを相互に連結し、受皿保持体１６を保持し、第１の接触面１４ａを構成している。ドア１５は裏面カバー１５ａを構成し、第２の接触面１５ｂと第１の係合部１５ｃ、第２の係合部１５ｄを構成している。第１の係合部は第２の接触面１５ｂより調理庫側に設け、第２の係合部１５ｄは第２の接触面の手前に設けられている。弾性体２０はドア１５に取り付けられている。
【００１８】
また、ドアパッキン１７は裏面カバー１５ａの表面に調理庫の開口部の下辺以外の周囲に対向する位置に結合され、本体パッキン１８は調理庫周囲の本体に下辺に沿って結合されている。
【００１９】
以上のように構成された加熱調理器について、以下その動作、作用を説明する。
【００２０】
ドア１５を連結部材１４に取り付け時、裏面カバー１５ａの第２の接触面１５ｂを連結部材１４の第１の接触面１４ａに沿うようにしてドア１５部を上方から下方に移動させ、係合部１５ｃと連結部材１４に設けられた係合部とで、ドア１５部と連結部材１４を係合させる。これにより、ドア１５を上下の動作だけで、連結部材１４に取り付けることが可能となり、容易にセットできる。
【００２１】
また、第１の係合部が裏面カバー１５ａより調理庫側に設けることによって、ドア１５を上方からセットするときに、係合部が見え、容易にセットできる。
【００２２】
また、係合部を上下、前後に複数個つけることによって、ドア１５の上下、左右、前後のガタツキを抑えることができる。
【００２３】
また、ドア１５を連結部材１４にセットすると、弾性体２０は連結部材１４の切欠きにセットされ抜け防止となり、ドア１５の引き出しで容易に外れることなく使用できる。
【００２４】
また、ドアパッキン１７と本体パッキン１８により調理庫から煙が漏れるのを抑制することができる。
【産業上の利用可能性】
【００２５】
以上のように、本発明にかかる加熱調理器は、レールがスムーズに動いても支障なく、ドアをセットすることができるため使い勝手を高め、被加熱物を加熱する全ての用途に適用できる。
【図面の簡単な説明】
【００２６】
【図１】本発明の実施の形態１におけるロースター部の斜視図
【図２】本発明の実施の形態１におけるロースター部の斜視図
【図３】本発明の実施の形態１におけるロースター部の部分断面図
【図４】本発明の実施の形態１におけるロースター部の部分断面図
【図５】本発明の実施の形態１におけるロースター部の斜視図
【符号の説明】
【００２７】
１１  調理庫
１２  可動体
１３  固定体
１４  連結部材
１５  ドア
１５ａ  裏面カバー
１５ｂ  第２の接触面
１５ｃ  弟１の係合部
１５ｄ  第２の係合部
１６  受皿保持体
１７  ドアパッキン
１８  本体パッキン
１９  受皿
２０  弾性体
【図１】
2006329545.tif 000003
【図２】
2006329545.tif 000004
【図３】
2006329545.tif 000005
【図４】
2006329545.tif 000006
【図５】
2006329545.tif 000007